(57)【要約】【課題】１または複数の他の定電流回路との間で共通インピーダンスを共有する定電流回路の出力電流に、他の定電流回路の出力電流に起因した誤差が生じることを防ぐ。【解決手段】オペアンプと、当該オペアンプの出力端子にゲートが接続されドレインが当該定電流回路の出力端となる電界効果トランジスタと、この電界効果トランジスタのソースと共通インピーダンスとの間に介挿された抵抗と、を有する定電流回路に、共通インピーダンスおよび抵抗の共通接続点の電圧を第１の基準電圧とし、オペアンプの非反転入力端子には、第２の基準電圧と第１の基準電圧と電位差を所定の分圧比で分圧した電圧を印加し、同反転入力端子には、電界効果トランジスタのソースおよび抵抗の共通接続点の電圧と第３の基準電圧との電位差を所定の分圧比で分圧した電圧を印加する分圧回路を設ける。【選択図】図１
2013097751.tif 000002
【特許請求の範囲】
【請求項１】
オペアンプと、
前記オペアンプの出力端子にゲートが接続されるとともに、ドレインが当該定電流回路の出力端となっている電界効果トランジスタと、
前記電界効果トランジスタのソースと第１の基準電圧が印加されるノードとの間に介挿される抵抗と、
前記第１の基準電圧とは異なる第２の基準電圧と前記第１の基準電圧との電位差を所定の分圧比で分圧して得られる電圧を前記オペアンプの非反転入力端子に印加する一方、前記電界効果トランジスタのソースおよび前記抵抗の共通接続点の電圧と前記第１の基準電圧とは異なりかつ前記第２の基準電圧とも異なる第３の基準電圧との電位差を前記所定の分圧比で分圧して得られる電圧を前記オペアンプの反転入力端子に印加する分圧回路と、
を有することを特徴とする定電流回路。
【発明の詳細な説明】
【技術分野】
【０００１】
この発明は、定電流を生成する回路に関する。
【背景技術】
【０００２】
電源電圧に依存せずに一定の電流を出力する定電流回路が一般に知られている（例えば特許文献１：段落０００２〜０００３参照）。図２は定電流回路の構成例を示す図である。図２に示す定電流回路では、基準電圧源Ｖｒは電源電圧Ｖに基づいて一定電圧Ｖ´を発生させ、この一定電圧Ｖ´がオペアンプＯＰの非反転入力端子に印加される。オペアンプＯＰの出力端子はＮチャネル電界効果トランジスタＴｒのゲートに接続されており、同トランジスタＴｒのソースと接地線（以下、ＧＮＤ配線）との間には抵抗Ｒが介挿されている。Ｎチャネル電界効果トランジスタＴｒのソースと抵抗Ｒの共通接続点はオペアンプＯＰの反転入力端子に接続されており、同トランジスタＴｒのドレインは当該定電流回路の出力端となっている。図２に示す定電流回路では、電源電圧Ｖが変化しても基準電圧源Ｖｒは常に一定の電圧Ｖ´を出力する。そして、オペアンプＯＰは、反転入力端子に対する電圧が非反転入力端子に対する電圧Ｖ´となるようにＮチャネル電界効果トランジスタＴｒに対するゲート電圧を制御する。したがって、図２の定電流回路の出力端からは一定電流Ｉｏｕｔ（＝Ｖ´／Ｒ）が出力される。
【先行技術文献】
【特許文献】
【０００３】
【特許文献１】特開平１０−１４３２６２号公報
【発明の概要】
【発明が解決しようとする課題】
【０００４】
ところで、複数の定電流回路により複数の負荷を駆動する装置において、装置全体としての配線本数を減らすために、複数の定電流回路にＧＮＤ配線を共有させることが一般に行われている。複数の定電流回路にＧＮＤ配線を共有させると、それら複数の定電流回路のうちのいくつかが共通インピーダンスを共有する場合がある。他の定電流回路と共通インピーダンスを共有する定電流回路においては、ＧＮＤ配線に接続される接地ノードの電位が当該他の定電流回路の動作状況に応じて変動し、出力電流が当該他の定電流回路の出力電流の影響を受けることになる。例えば、図２に示す回路において、抵抗ＲとＧＮＤ配線との間に他の定電流回路と共有している共通インピーダンスＲＣＯＭがあったとする。他の定電流回路が例えば電流Ｉ´を出力したとすると、図２に示す定電流回路では、抵抗Ｒの電圧降下Ｉｏｕｔ×Ｒと共通インピーダンスＲＣＯＭの電圧降下（Ｉｏｕｔ＋Ｉ´）×ＲＣＯＭとの総和を電圧Ｖ´に一致させる制御が行われる。このため、図２に示す定電流回路の出力電流Ｉｏｕｔには、他の定電流回路の出力電流Ｉ´の影響が現れるのである。
【０００５】
本発明は上記課題に鑑みて為されたものであり、１または複数の他の定電流回路との間で共通インピーダンスを共有する定電流回路において、出力電流に他の定電流回路の動作に起因した誤差が生じることを防ぐ技術を提供することを目的とする。
【課題を解決するための手段】
【０００６】
上記課題を解決するために本発明は、オペアンプと、前記オペアンプの出力端子にゲートが接続されるとともに、ドレインが当該定電流回路の出力端となっている電界効果トランジスタと、前記電界効果トランジスタのソースと第１の基準電圧が印加されるノードとの間に介挿される抵抗と、前記第１の基準電圧とは異なる第２の基準電圧と前記第１の基準電圧との電位差を所定の分圧比で分圧して得られる電圧を前記オペアンプの非反転入力端子に印加する一方、前記電界効果トランジスタのソースおよび前記抵抗の共通接続点の電圧と前記第１の基準電圧とは異なりかつ前記第２の基準電圧とも異なる第３の基準電圧との電位差を前記所定の分圧比で分圧して得られる電圧を前記オペアンプの反転入力端子に印加する分圧回路と、を有することを特徴とする定電流回路、を提供する。
【０００７】
本発明による定電流回路によれば、上記第１の基準電圧が印加されるノードが接地ノードであり、他の定電流回路と共有する共通インピーダンスを介して当該ノードがＧＮＤ配線に接続されている場合（すなわち、上記第１の基準電圧として接地電位を想定している場合）であっても、出力電流に他の定電流回路の動作に起因した誤差が生じることはない。その理由は以下の通りである。本発明に係る定電流回路では、オペアンプの非反転入力端子の入力電圧（すなわち、第２の基準電圧と第１の基準電圧との電位差を所定の分圧比で分圧して得られる電圧）と、同反転入力端子の入力電圧（前記電界効果トランジスタのソースおよび前記抵抗の共通接続点の電圧と第３の基準電圧との電位差を上記所定の分圧比で分圧して得られる電圧）とが等しくなるように出力電圧（すなわち、電界効果トランジスタのゲートに印加する電圧）を調整する制御がオペアンプによって営まれる。このため、当該定電流回路と共通インピーダンスを共有する他の定電流回路の動作によって当該共通インピーダンスに電流が流れ、上記第１の基準電圧が変動したとしても、電界効果トランジスタのソースと抵抗の共通接続点に現われる電圧も同じ分量だけ同じ方向に変動することとなる。その結果、上記抵抗の両端の電位差は上記他の定電流回路の動作の有無によらず一定となり、本発明による定電流回路の出力電流は一定となる。このように、本発明の定電流回路によれば、１または複数の他の定電流回路との間で共通インピーダンスを共有したとしても、それら他の定電流回路の動作に起因した誤差が出力電流に生じることを防ぐことが可能になるのである。
【図面の簡単な説明】
【０００８】
【図１】この発明の一実施形態の定電流回路１Ａ，１Ｂおよび１Ｃを含む定電流発生装置の構成例を示す図である。
【図２】従来の定電流回路の構成例を示す図である。
【発明を実施するための形態】
【０００９】
以下、図面を参照し、この発明の実施形態について説明する。
図１は、本発明の一実施形態の定電流回路１Ａ、１Ｂおよび１Ｃを含む定電流発生装置の構成例を示す図である。この定電流発生装置は、各種の電子機器に組み込まれ、ＬＥＤなどの負荷に一定の駆動電流を供給する定電流源として用いられる。図１に示すよう、この定電流発生装置は、基準電圧生成回路１０と、この基準電圧生成回路１０を共有する定電流回路１Ａ、１Ｂおよび１Ｃを含んでいる。図１に示すように定電流回路１Ａ、１Ｂおよび１Ｃは、互いに同一の構成を有している。すなわち、定電流回路１Ａ、１Ｂおよび１Ｃの各々は、オペアンプ２０、Ｎチャネル電界効果トランジスタ３０、抵抗４０、抵抗５０ａ、抵抗５０ｂ、抵抗６０ａおよび抵抗６０ｂを含んでいる。以下では、定電流回路１Ａ、１Ｂおよび１Ｃの各々を区別する必要がない場合には、「定電流回路１」と表記する。
【００１０】
各定電流回路１の接地ノードＮ６には、例えば接地電位など当該定電流回路１を作動させる際の基準電圧（以下、第１の基準電圧）が印加される。図１に示すように、定電流回路１Ａの接地ノードＮ６は抵抗７０を介してＧＮＤ配線に接続されており、定電流回路１Ｂの接地ノードＮ６は抵抗７２および抵抗８０を介してＧＮＤ配線に接続されており、定電流回路１Ｃの接地ノードＮ６は抵抗７４、抵抗９０および抵抗８０を介してＧＮＤ配線に接続されている。つまり、図１に示す定電流発生装置において定電流回路１Ｂと１Ｃは、抵抗８０を共通インピーダンスとして共有している。なお、以下では、抵抗７０、７２および７４の抵抗値はＲ４、抵抗８０の抵抗値はＲ５、抵抗９０の抵抗値はＲ６であるとする。
【００１１】
基準電圧生成回路１０は、図１に示すように、オペアンプ１１０と、抵抗２１０、２２０および２３０を含んでいる。抵抗２１０は、オペアンプ１１０の非反転入力端子とＧＮＤ配線との間に介挿されている。この抵抗２１０には、図示しない定電流源から供給される入力電流Ｉ１が通電される。したがって、抵抗２１０の抵抗値をＲ２とすると、抵抗２１０に入力電流Ｉ１が流れることにより発生する電圧Ｖ１（Ｖ１＝Ｒ２×Ｉ１）がオペアンプ１１０の非反転入力端子に印加される。抵抗２２０と抵抗２３０は、オペアンプ１１０の出力端子とＧＮＤ配線との間に直列に介挿されており、抵抗２２０と抵抗２３０との共通接続点はオペアンプ１１０の反転入力端子に接続されている。
【００１２】
本実施形態では、抵抗２２０と抵抗２３０は同一の抵抗値Ｒ１を有している。このため、オペアンプ１１０の出力電圧をＶ２とすると、オペアンプ１１０の反転入力端子には、抵抗２２０と抵抗２３０の共通接続点の電圧Ｖ２／２が印加される。オペアンプ１１０は、反転入力端子に対する電圧Ｖ２／２を非反転入力端子に対する電圧Ｖ１に一致させる電圧Ｖ２を出力する。したがって、オペアンプ１１０の出力電圧はＶ２＝２×Ｖ１＝２×Ｉ１×Ｒ２となる。詳細については後述するが、本実施形態では、各定電流回路１のオペアンプ２０の非反転入力端子に印加される電圧Ｖ３は、オペアンプ１１０の出力電圧Ｖ２を基準として生成され、同オペアンプ２０の反転入力端子に印加される電圧Ｖ４は抵抗２２０と抵抗２３０の共通接続点の電圧Ｖ２／２を基準として生成される。つまり、本実施形態の基準電圧生成回路１０は、後段の定電流回路１Ａ、１Ｂおよび１Ｃの各々のオペアンプ２０の非反転入力端子の入力電圧Ｖ３を生成する際の基準電圧として第１の基準電圧とは異なる第２の基準電圧Ｖ２を入力電流Ｉ１に応じて生成する役割と、同反転入力端子の入力電圧Ｖ４を生成する際の基準電圧として第１の基準電圧とは異なりかつ第２の基準電圧とも異なる第３の基準電圧（本実施形態では、Ｖ２／２）を入力電流Ｉ１に応じて生成すると役割を担っている。
【００１３】
次いで、図１を参照しつつ定電流回路１の構成を説明する。図１に示すように、各定電流回路１において、オペアンプ２０の出力端子は当該定電流回路１のＮチャネル電界効果トランジスタ３０のゲートに接続されており、同Ｎチャネル電界効果トランジスタ３０のドレインは当該定電流回路１の出力端となっている。本実施形態の各定電流回路１は、当該出力端から一定の電流を引き込むことで定電流源として作用する。各定電流回路１において、Ｎチャネル電界効果トランジスタ３０のソースと接地ノードＮ６の間には、抵抗４０が介挿されている。詳細については後述するが、各定電流回路１において、抵抗４０は出力電流を制御する役割を果たす。なお、以下では、抵抗４０の抵抗値はＲ３であるとする。
【００１４】
各定電流回路１において、抵抗５０ａと抵抗５０ｂは、オペアンプ１１０の出力端子と当該定電流回路の接地ノードＮ６との間に直列に介挿されており、抵抗５０ａと抵抗５０ｂの共通接続点は当該定電流回路１のオペアンプ２０の非反転入力端子に接続されている。したがって、各定電流回路１のオペアンプ２０の非反転入力端子には、オペアンプ１１０の出力電圧である第２の基準電圧Ｖ２と、当該定電流回路１の接地ノードＮ６の電圧（すなわち、第１の基準電圧）Ｖ６との電位差を、当該定電流回路１における抵抗５０ａと抵抗５０ｂにより分圧して得られる電圧Ｖ３が印加される。本実施形態では、各定電流回路１の抵抗５０ａおよび抵抗５０ｂの抵抗値はいずれもＲ１である。このため、各定電流回路１における電圧Ｖ２、Ｖ３およびＶ６間の関係は、以下の式（１）により表される。
Ｖ３＝（Ｖ２＋Ｖ６）／２・・・（１）
【００１５】
各定電流回路１において、抵抗６０ａと抵抗６０ｂは、抵抗２２０と抵抗２３０の共通接続点と、当該定電流回路１におけるＮチャネル電界効果トランジスタ３０のソースと抵抗４０との共通接続点Ｎ５との間に介挿されており、抵抗６０ａと抵抗６０ｂの共通接続点は当該定電流回路１のオペアンプ２０の反転入力端子に接続されている。したがって、各定電流回路１のオペアンプ２０の反転入力端子には、抵抗２２０と抵抗２３０の共通接続点に現われる第３の基準電圧Ｖ２／２と、当該定電流回路１におけるＮチャネル電界効果トランジスタ３０のソースと抵抗４０との共通接続点Ｎ５に現われる電圧Ｖ５との電位差を、当該定電流回路１における抵抗６０ａと抵抗６０ｂにより分圧して得られる電圧Ｖ４が印加される。本実施形態では、各定電流回路１の抵抗６０ａおよび抵抗６０ｂの抵抗値はいずれもＲ１である。このため、各定電流回路１における電圧Ｖ２、Ｖ４およびＶ５間の関係は、以下の式（２）により表される。
Ｖ４＝（Ｖ５＋Ｖ２／２）／２・・・（２）
【００１６】
つまり、各定電流回路１において、抵抗５０ａ、５０ｂ、６０ａおよび６０ｂは、当該定電流回路１の接地ノードＮ６に現われる電圧Ｖ６と第２の基準電圧Ｖ２との電位差を所定の分圧比（本実施形態では、１／２）で分圧して得られる電圧Ｖ３を当該定電流回路１のオペアンプ２０の非反転入力端子に印加する一方、当該定電流回路１におけるＮチャネル電界効果トランジスタ３０のソースと抵抗４０の共通接続点Ｎ５に現われる電圧Ｖ５と第３の基準電圧Ｖ２／２との電位差を所定の分圧比（本実施形態では、１／２）で分圧して得られる電圧Ｖ４を当該定電流回路１のオペアンプ２０の反転入力端子に印加する分圧回路の役割を果たすのである。
【００１７】
図１に示す定電流回路１では、オペアンプ２０は、反転入力端子の入力電圧Ｖ４が非反転入力端子の入力電圧Ｖ３と等しくなるように出力電圧（すなわち、Ｎチャネル電界効果トランジスタ３０のゲート電圧）を調整する制御を営む。前述したように、オペアンプ２０の非反転入力端子の入力電圧Ｖ３は前掲式（１）により表され、同反転入力端子の入力電圧Ｖ４は式（２）により表される。図１に示す定電流発生装置において定電流回路１Ｃが電流を出力すると、定電流回路１Ｃと共通インピーダンス（抵抗８０）を共有する定電流回路１Ｂの接地ノードＮ６の電圧Ｖ６が変化する。定電流回路１Ｂの接地ノードＮ６の電圧Ｖ６の変動分をΔＶとすると、定電流回路１Ｂのオペアンプ２０の非反転入力端子の入力電圧Ｖ３はΔＶ／２だけ変化する（式（１）参照）。前述したように、オペアンプ２０は、反転入力端子の入力電圧Ｖ４が非反転入力端子の入力電圧Ｖ３と等しくなるように、出力電圧を調整する。すなわち、定電流回路１Ｂのオペアンプ２０は、反転入力端子の入力電圧Ｖ４がΔＶ／２だけ変化するように出力電圧を調整する。
【００１８】
前述したように、Ｎチャネル電界効果トランジスタ３０のソースと抵抗４０との共通接続点Ｎ５に現われる電圧Ｖ５とオペアンプ２０の反転入力端子に印加される電圧Ｖ４との間には式（２）に示す関係がある。式（２）を参照すれば明らかように、Ｖ２＝一定の状況下でＶ４をΔＶ／２だけ変化させるには、Ｎチャネル電界効果トランジスタ３０のソースと抵抗４０との共通接続点Ｎ５に現われる電圧Ｖ５をΔＶだけ変化させる必要がある。したがって、定電流回路１Ｂのオペアンプ２０は、Ｎチャネル電界効果トランジスタ３０のソースと抵抗４０との共通接続点Ｎ５に現われる電圧Ｖ５がΔＶだけ変化するように出力電圧を調整する。
【００１９】
このように、定電流回路１Ｂでは、共通インピーダンス（抵抗８０）を共有する他の定電流回路（すなわち、定電流回路１Ｃ）が電流を出力することによって、接地ノードＮ６の電圧Ｖ６がΔＶだけ変化したとしても、Ｎチャネル電界効果トランジスタ３０のソースと抵抗４０との共通接続点Ｎ５に現われる電圧Ｖ５も同じ変化量（ΔＶ）だけ同じ方向に変化する。このため、抵抗４０の両端の電位差（Ｖ５−Ｖ６）は一定に保たれる。
【００２０】
定電流回路１ＢにおいてＶ３＝Ｖ４となる状況下では、抵抗４０の両端に印加される電位差（Ｖ５−Ｖ６）は以下の式（３）のように表される。定電流回路１Ｂの出力電流Ｉ２は、Ｉ２＝（Ｖ５−Ｖ６）／Ｒ３と表されるのであるから、結局、当該電流Ｉ２は以下の式（４）のように表される。
Ｖ５−Ｖ６＝Ｖ２／２＝Ｒ２×Ｉ１・・・（３）
Ｉ２＝Ｉ１×（Ｒ２／Ｒ３）・・・（４）
【００２１】
ここで注目すべき点は、式（４）の右辺は共通インピーダンスである抵抗８０の抵抗値Ｒ５や抵抗７４の抵抗値Ｒ４を含んでおらず、抵抗２１０の抵抗値Ｒ２と抵抗４０の抵抗値Ｒ３の比および抵抗２１０を通電する電流Ｉ１に基づいて定まる一定値となっている、という点である。この点からも、本実施形態の定電流回路１Ｂの出力電流Ｉ２には、共通インピーダンスを共有する他の定電流回路（定電流回路１Ｃ）の動作に起因した誤差が生じないことは明らかである。同様に定電流回路１Ｂの動作に起因して定電流回路１Ｃの出力電流Ｉ２に誤差が生じることもない。このように本実施形態によれば、複数の定電流回路１が共通インピーダンスを共有している場合であっても、各定電流回路１の出力電流Ｉ２に他の定電流回路１の動作に起因した誤差が生じることを防止することができるのである。
【００２２】
以上、本発明の一実施形態について説明したが、かかる実施形態に以下の変形を加えても勿論良い。
（１）上述した実施形態では、定電流回路１Ａ、１Ｂおよび１Ｃの各々において分圧回路の役割を果たす抵抗５０ａ、５０ｂ、６０ａおよび６０ｂの抵抗値が全て同一であった。しかし、接地ノードＮ６に現われる電圧Ｖ６（第１の基準電圧）と第２の基準電圧Ｖ２との電位差を分圧する際の分圧比と、Ｎチャネル電界効果トランジスタ３０のソースと抵抗４０の共通接続点Ｎ５に現われる電圧Ｖ５と第３の基準電圧Ｖ２／２との電位差を分圧する際の分圧比とが同一であれば良く、抵抗５０ａ、５０ｂ、６０ａおよび６０ｂの抵抗値が全て同一である必要はない。
【００２３】
例えば、抵抗５０ａと抵抗６０ａの抵抗値が同一で、抵抗５０ｂと抵抗６０ｂの抵抗値も同一（ただし、抵抗５０ａと抵抗５０ｂの抵抗値とは異なる）であっても良い。要は、抵抗５０ａと抵抗５０ｂの抵抗比と、抵抗６０ａと抵抗６０ｂの抵抗比が同一であれば良い。抵抗５０ａと抵抗５０ｂの抵抗比と、抵抗６０ａと抵抗６０ｂの抵抗比が同一であれば、抵抗７０と抵抗４０との共通接続点に現われる電圧Ｖ６と第１の基準電圧Ｖ２との電位差を分圧する際の分圧比と、Ｎチャネル電界効果トランジスタ３０のソースと抵抗４０の共通接続点に現われる電圧Ｖ５と第２の基準電圧Ｖ２／２との電位差を分圧する際の分圧比とが同一になり、抵抗４０の両端にかかる電圧（Ｖ５−Ｖ６）は抵抗７０の抵抗値には依存しない一定値となり、上記実施形態と同一の効果が得られるからである。
【００２４】
（２）上述した実施形態では、定電流回路１Ａ、１Ｂおよび１Ｃの各々に同一の電流値の電流を出力させたが、各定電流回路に異なる電流値の電流を出力させるようにしても良い。具体的には、定電流回路１Ａにおける抵抗４０の抵抗値と、定電流回路１Ｂにおける抵抗４０の抵抗値と、定電流回路１Ｃにおける抵抗４０の抵抗値と、を互いに異ならせるようにすれば良い。また、抵抗５０ａと抵抗５０ｂの抵抗比（＝抵抗６０ａと抵抗６０ｂの抵抗比）についても、定電流回路１Ａ、１Ｂおよび１Ｃの各々で同一である必要はなく、互いに異なっていても良い。また、上記実施形態では、３個の定電流回路１に１つの基準電圧生成回路１０を共有させる場合について説明したが、２個以下或いは４個以上の定電流回路１に１つの基準電圧生成回路１０を共有させても良い。また、上記実施形態では、２個の定電流回路１（すなわち、定電流回路１Ｂおよび１Ｃ）に共通インピーダンス（図１では、抵抗８０）を共有させたが、３つ以上の定電流回路１が共通インピーダンスを共有しても勿論良い。
【００２５】
（３）上述した実施形態では、基準電圧生成回路１０に第２の基準電圧Ｖ２と第３の基準電圧Ｖ２／２を生成させた。しかし、第３の基準電圧は第２の基準電圧の１／２に限定されるものではなく、当該第２の基準電圧と接地電位の電位差を適宜分圧して得られる電圧であれば良い。要は、第２の基準電圧は第１の基準電圧とは異なる電圧であれば良く、第３の基準電圧は第１の基準電圧とは異なり、かつ第２の基準電圧とも異なる電圧であれば良い。ここで、第３の基準電圧を第２の基準電圧とは異なる電圧とするのは、抵抗４０の両端にかかる電圧（Ｖ５−Ｖ６）は第２の基準電圧と第３の基準電圧の差分に抵抗５０ａと抵抗５０ｂの抵抗比（＝抵抗６０ａと抵抗６０ｂの抵抗比）に応じた係数を乗算した値となるからである。
【００２６】
（４）上述した実施形態では、入力電流Ｉ１に応じてＩ２＝Ｉ１×Ｒ２／Ｒ３なる電流を出力する電流駆動型の定電流発生装置への本発明の適用例を説明したが、電圧駆動型の定電流発生装置に本発明を適用することも可能である。例えば、図１の基準電圧生成回路１０から抵抗２１０を除去し、オペアンプ１１０の非反転入力端子に外部電圧Ｖ１を直接印加するようにしても良い。
【００２７】
（５）上述した実施形態を半導体集積回路にて実施しても良い。その場合は、抵抗２１０と抵抗２３０の共通接続点から半導体集積回路の外部の接地点（例えば、ＰＣ基板における接地点）へのＧＮＤ配線を設けても良い。具体的には該ＧＮＤ配線経路に半導体集積回路の内外を接続するボンディングパット（ＬＳＩピン）を単独に設けても良い。これにより、半導体集積回路内部の共通インピーダンスに加えて、ＰＣ基板における共通インピーダンスも共有させることができるようになる。本変形例によれば、上記実施形態による態様で共通インピーダンスを共有する定電流回路の出力電流に、他の定電流回路の動作に起因した誤差が生じることを防ぐことが可能になる。
【符号の説明】
【００２８】
１,１Ａ,１Ｂ,１Ｃ…定電流回路、１０…基準電圧生成回路、２０，１１０…オペアンプ、３０…Ｎチャネル電界効果トランジスタ、４０，５０ａ，５０ｂ，６０ａ，６０ｂ，７０,７２，７４，８０，９０，２１０，２２０，２３０…抵抗。
【図１】
2013097751.tif 000003
【図２】
2013097751.tif 000004